(57)【要約】【課題】  板紙等の素材を用いて倒立型尖塔状の容器を形成し、一方の大径開口端を簡便な操作で強固に封止すると共に、開口に当っても簡便な操作で封止を解くことができ、再封状態も安定し、収納商品の保護性に優れたワンタッチ開閉容器を提供することにある。【解決手段】  倒立型尖塔状をなす周壁からなり、仮想端縁線と両側の仮想分割線との交点を端縁頂点とし、仮想肩部線と両側端辺および中央の仮想分割線との交点を肩部屈曲点として隣接する交点を谷折線で結び、肩部屈曲点上で対向する谷折線間の山折線で二分割して隣接形成する折曲重合板同士の折曲重合で、周壁開口端を収束した十字形状の封止部とすると共に、一方の対向する連設した折曲重合板上端に延設され内側に折り返される折返板から対向方向に延設した係止板を、他方の対向する折曲重合板と折返板との折り曲げで形成される折曲重合部内にそれぞれ相互に嵌め込んで係止する。【選択図】        図５
2011046391.tif 000002
【特許請求の範囲】
【請求項１】
基点を突端とし円弧状の仮想端縁線を外周縁とする略扇形状の前壁と後壁とが両側端辺に折線を介して連設され前記前壁と後壁とが糊着により一体に接合されて形成される倒立型尖塔状をなす周壁からなり、前記仮想端縁線と、前記前壁と後壁とをそれぞれ幅狭の扇形に四等分する三本の仮想分割線および前記両側端辺と、該仮想分割線上に前記基点から等距離で前記外周縁寄りの位置に形成される肩部屈曲点を通る仮想肩部線との交点のうち、前記仮想端縁線と前記仮想分割線のうち両側の仮想分割線との交点をそれぞれ端縁頂点とし、前記仮想肩部線と前記両側端辺および前記仮想分割線のうち中央の前記仮想分割線との交点をそれぞれ肩部屈曲点として隣接するそれぞれの交点を谷折線で結び、前記肩部屈曲点を中心として対向する前記谷折線間を前記中央の仮想分割線上で前記肩部屈曲点を発し前記外周縁に直交する山折線で二分割して隣接形成される折曲重合板同士の折曲重合により、前記周壁の開口端を収束した十字形状の封止部とすると共に、前記十字形状をなす封止部の一方の対向する前記連設された折曲重合板の上端に延設され前記周壁内側に折り返される折返板からさらに対向方向に延設された係止板を、他方の対向する前記折曲重合板と前記折返板との折り曲げにより形成される折曲重合部内にそれぞれ相互に嵌め込んで係止することを特徴とするワンタッチ開閉容器。
【請求項２】
前記周壁が基点を突端とし円弧状の仮想端縁線を端縁位置とする略二等辺三角形状をなす４枚の側壁が折線を介して連接され糊着により一体に接合される略逆四角錘形状の周壁からなることを特徴とする請求項１に記載のワンタッチ開閉容器。
【請求項３】
前記各係止板の一方の角部側端辺にはそれぞれ隣り合う折曲重合板方向に弧状の係止突起が膨出形成されていることを特徴とする請求項１または２に記載のワンタッチ開閉容器。
【請求項４】
前記ワンタッチ開閉容器を構成する材料が、厚紙素材からなることを特徴とする請求項１から３のいずれかに記載のワンタッチ開閉容器。
【発明の詳細な説明】
【技術分野】
【０００１】
本発明は、板紙等を用いた倒立型尖塔状をなす容器の開口端部を、ワンタッチで開閉することができる紙製容器を提供する。
【背景技術】
【０００２】
上部が大きく下部が窄まった形状の商品として代表的な切花は、花束として平板な包装紙やプラスチックシートを用いて漏斗状に包み込む包装が一般的に行われており、店頭での包装作業には時間を要するものであった。さらに、花束の持ち運びに際して、上部の花部分は閉じられておらず、包装自体には保護する効果が少なく、損傷を受け易く、また、窄まった下部すなわち茎部分を把持するが、花部分を上にして持ち運んだ場合、花部分の重さによる把持部分の折れ曲がり等の惧れがあった。上記課題に対し、逆截頭多角錘形状の花束用包装箱とすることにより、箱本体部と蓋部とによる保形強度によって花束を保護し、箱本体部の立体形状により損傷を与えることなく持ち歩くことができ、組み立てが容易である包装箱が提案されている（例えば、特許文献１）。
【０００３】
特許文献１に示された花束用包装箱は、実施例に逆正四角錘形が示されており、開口部を各側壁形成片の上縁に延設した蓋片及び提手付き蓋片とで覆蓋部を構成するが、示された覆蓋部の提手部分は、それぞれ独立した差し込み蓋片の先端の差し込み片を提手付き蓋片の差し込みスリットに差し込むことにより組み立てられるもので、組み立てに要する手間や時間を要すると共に、箱本体部に収容する花束の重量や、持ち運びの振動等により、差し込み部分が外れ易いという惧れがあった。
【０００４】
一方、下端部が窄まった形状は持ち易いことから、ポップコーン等の容量の大きいスナック菓子の容器としても逆角錐形の紙製容器は用いられており、上開口部の封鎖構造に特徴を有するものが提案されている（例えば、特許文献２）。
【０００５】
特許文献２に示された角錘形容器は、特許文献１に示された花束用包装箱と同様に、二等辺三角形の４枚の側板が略扇形状に連接されて角錐状胴部が構成され、胴部の上開口部に各側板の上端にそれぞれ隣同士連接する蓋板が構成されており、各蓋板を２つ折り状態で順々に折り込んで上開口部の中心に集約し花びら状に封鎖され、装飾性も高いが、上開口部の平面上に形成されるものであるので、立体性に乏しく、また胴部への外圧等により封鎖が解かれる惧れがあった。
【先行技術文献】
【特許文献】
【０００６】
【特許文献１】実開昭６３−６７４８６号公報
【０００７】
【特許文献２】特開平２−２３３１７号公報
【発明の概要】
【発明が解決しようとする課題】
【０００８】
本発明の目的は、従来の逆截頭多角錘形状等の容器が持つ問題点を解消し、板紙等の素材を用いて倒立型尖塔状の容器を形成し、一方の大径開口端を簡便な操作で強固に封止すると共に、開口に当っても簡便な操作で封止を解くことができ、再封状態も安定性があり、しかも収納商品の保護性に優れたワンタッチ開閉容器を提供することにある。
【課題を解決するための手段】
【０００９】
上記課題を解決するため、請求項１の発明は、基点を突端とし円弧状の仮想端縁線を外周縁とする略扇形状の前壁と後壁とが両側端辺に折線を介して連設され前記前壁と後壁とが糊着により一体に接合されて形成される倒立型尖塔状をなす周壁からなり、前記仮想端縁線と、前記前壁と後壁とをそれぞれ幅狭の扇形に四等分する三本の仮想分割線および前記両側端辺と、該仮想分割線上に前記基点から等距離で前記外周縁寄りの位置に形成される肩部屈曲点を通る仮想肩部線との交点のうち、前記仮想端縁線と前記仮想分割線のうち両側の仮想分割線との交点をそれぞれ端縁頂点とし、前記仮想肩部線と前記両側端辺および前記仮想分割線のうち中央の前記仮想分割線との交点をそれぞれ肩部屈曲点として隣接するそれぞれの交点を谷折線で結び、前記肩部屈曲点を中心として対向する前記谷折線間を前記中央の仮想分割線上で前記肩部屈曲点を発し前記外周縁に直交する山折線で二分割して隣接形成される折曲重合板同士の折曲重合により、前記周壁の開口端を収束した十字形状の封止部とすると共に、前記十字形状をなす封止部の一方の対向する前記連設された折曲重合板の上端に延設され前記周壁内側に折り返される折返板からさらに対向方向に延設された係止板を、他方の対向する前記折曲重合板と前記折返板との折り曲げにより形成される折曲重合部内にそれぞれ相互に嵌め込んで係止する構成とすることにより、略逆多角錐形状の容器を形成し、一方の大径開口端を簡便な操作で強固に封止すると共に、開口にあたっても簡便な操作で封止を解くことができ、再封状態も安定性があり、内容商品の保護性に優れたワンタッチ開閉容器を形成することができる。
【００１０】
請求項２の発明は、前記周壁が基点を突端とし円弧状の仮想端縁線を端縁位置とする略二等辺三角形状をなす４枚の側壁が折線を介して連接され糊着により一体に接合される略逆四角錘形状の周壁からなることを特徴とする請求項１に記載のワンタッチ開閉容器で、周壁をそれぞれ二等辺三角形状の側壁の連接により構成することにより、組み立て操作における折線の折曲作業が簡便に行え、略逆四角錘形状の容器を形成すると共に、大径開口端を簡便な操作で強固に封止することができる。
【００１１】
請求項３の発明は、前記各係止板の一方の角部側端辺にはそれぞれ隣り合う折曲重合板方向に弧状の係止突起が膨出形成されていることを特徴とする請求項１または２に記載のワンタッチ開閉容器で、係止板に係止突起を形成することにより、封止状態を強固なものとすることができる。
【００１２】
請求項４の発明は、前記ワンタッチ開閉容器を構成する材料が、厚紙素材からなることを特徴とする請求項１から３のいずれかに記載のワンタッチ開閉容器で、構成材料に板紙等厚紙素材を用いることにより、内容物の保護のみでなく、容器自体の保形性に優れた容器とすることができる。
【発明の効果】
【００１３】
本発明のワンタッチ開閉容器は、一方の大径開口端を十字状に封止するため、対向するそれぞれの折曲重合板上端に延設された折返板から対向方向に突設される係止板を、それぞれ対向する折曲重合板と折返板との折曲部内側に相互に嵌め込んで係止したので、一方の大径開口端を簡便な操作で強固に封止すると共に、開口に当っても簡便な操作で封止を解くことができ、再封状態に安定性がある。
【００１４】
また、板紙等の厚紙素材を用いて構成すると、収納する内容物を保護するばかりでなく、容器自体の保形性に優れている。さらに、容器の開放部の閉鎖について熱接着などを行わないので、特別な積層構成や特別な工程を要さず、経済性に優れている。
【図面の簡単な説明】
【００１５】
【図１】本発明に係るワンタッチ開閉容器の一実施例のブランク状態を示す説明用展開平面図。
【図２】同じく一実施例の折り畳み貼り合せ状態を示す説明用平面図。
【図３】同じく一実施例の組立初期状態を示す説明用平面図。
【図４】同じく一実施例の組立途中状態を示す説明用斜視図。
【図５】同じく一実施例の組立完成状態を示す説明用斜視図。
【図６】他の実施例の組立完成状態を示す説明用斜視図。
【発明を実施するための形態】
【００１６】
本発明につき、図面等を用いて以下に詳述する。図１は本発明に係るワンタッチ開閉容器の一実施例のブランク状態を示す説明用展開平面図。図２は同じく一実施例の折り畳み貼り合せ状態を示す説明用平面図。図３は同じく一実施例の組立初期状態を示す説明用平面図。図４は同じく一実施例の組立途中状態を示す説明用斜視図。図５は同じく一実施例の組立完成状態を示す説明用斜視図。図６は他の実施例の組立完成状態を示す斜視図である。
【００１７】
図１は本発明に係るワンタッチ開閉容器の一実施例のブランク状態を示す説明用展開平面図で、略扇形状のブランク板Ａは、基点αを突端とし円弧状の仮想端縁線Ｒを端縁位置とする略扇形状の前壁１と、該前壁１の一方の側端辺に折線Ｌ１を介して対称な略扇形状の後壁２が連設され、該後壁２の一方の側端辺に折線Ｌ２を介して該側端辺に平行な帯状の貼着片３が延設されている。
前記略扇形状の前壁１と後壁２とをそれぞれ幅狭の扇形に四分割する仮想分割線をｎ１、ｎ２、ｎ３およびｍ１、ｍ２、ｍ３とし、前記基点αから等距離で端縁寄りの位置に形成される肩部屈曲点を通る線を仮想肩部線Ｓとし、さらに前記仮想端縁線Ｒを用い、それぞれの仮想線同士および折線等との交点を設定すると共に交点を結んで前壁１および後壁２の上端を区画構成する。前記仮想端縁線Ｒ上にそれぞれ、仮想分割線ｎ１との交点を端縁頂点β、仮想分割線ｎ３との交点を端縁頂点γ、仮想分割線ｍ１との交点を端縁頂点δ、仮想分割線ｍ３との交点を端縁頂点εとし、仮想肩部線Ｓ上にそれぞれ、前壁１の一方の側端辺との交点を肩部屈曲点ι’、仮想分割線ｎ２との交点を肩部屈曲点ζ、折線１との交点を肩部屈曲点η、仮想分割線ｍ２との交点を肩部屈曲点θ、折線２との交点を肩部屈曲点ιとする。
前記前壁１および後壁２の弧状端縁側には、肩部屈曲点ι’と端縁頂点βとを結ぶ折線Ｌ６’と、端縁頂点βから前壁１の一方の側端辺に垂下して形成される折線Ｌ３と、前記側端辺の一部とで直角三角形状の折曲重合板４’が形成され、端縁頂点βと端縁頂点γとを結ぶ切線と、端縁頂点βと端縁頂点γとがそれぞれ肩部屈曲点ζと結ぶ折線Ｌ７と折線Ｌ７’とで形成される二等辺三角形を前記仮想分割線ｎ２上の折線Ｌ１０により二分割されてそれぞれ直角三角形状の折曲重合板５および５’が形成され、端縁頂点γと端縁頂点δとを結ぶ折線Ｌ４と、端縁頂点γと端縁頂点δとがそれぞれ肩部屈曲点ηと結ぶ折線Ｌ８と折線Ｌ８’とで形成される二等辺三角形を前記折線Ｌ１により二分割されてそれぞれ直角三角形状の折曲重合板６および６’が形成され、端縁頂点δと端縁頂点εとを結ぶ切線と、端縁頂点δと端縁頂点εとがそれぞれ肩部屈曲点θと結ぶ折線Ｌ９と折線Ｌ９’とで形成される二等辺三角形を前記仮想分割線ｍ２上の折線Ｌ１２により二分割されてそれぞれ直角三角形状の折曲重合板７および７’が形成され、端縁頂点εと肩部屈曲点ιとを結ぶ折線Ｌ６と、端縁頂点εから折線Ｌ２に垂下して形成される折線Ｌ３’と、前記折線Ｌ２の一部を構成する折線Ｌ１３とで直角三角形状の折曲重合板４が形成される。さらに、前記折曲重合板４’には前記折線Ｌ３を介して折返板８’が連設されると共に該折返板８’は前記折曲重合板５側側端に係止板１０’が延設され、前記折曲重合板６および６’には前記折線Ｌ４を介して折返板９および９’が連設されると共に該折返板９および９’のそれぞれ側端に係止板１１、１１’が延設され、前記折曲重合板４には前記折線Ｌ３’を介して折返板８が連設されると共に該折返板８は前記折曲重合板７’側端に係止板１０が延設されている。また、前記係止板１０’、１１、１１’、１０にはそれぞれ折曲重合板５、５’、７、７’方向に膨出した弧状の係止突起１２が形成されている。尚、前記帯状の貼着片３には、一方の側端辺との重合貼着のため対応する位置に補助的な折線Ｌ５並びにＬ６”が配設されている。
また、前壁１、後壁２および貼着片３のそれぞれ突端部において、それぞれの仮想分割線ｎ１、ｎ２、ｎ３、ｍ１、ｍ２、ｍ３および貼着片３下端に刻設された基点αに収束する折線は、略扇形状の突端部で所定の形状に折り曲げし難い部分に補助的に配設したもので、符号は省略した。
【００１８】
図２は本発明に係るワンタッチ開閉容器の一実施例の折り畳み貼り合せ状態を示す説明用平面図で、図１に示したブランク板Ａの折線Ｌ１およびＬ２をそれぞれ山折りし、前壁１と後壁２（図示されない）を重合させると共に、前記前壁１の一方の側端辺裏面と、帯状の貼着片３（図示されない）の表面で糊着して周壁を形成した状態を前記前壁１側から見た図である。
【００１９】
図３は本発明に係るワンタッチ開閉容器の一実施例の組立初期状態を示す平面図で、ブランクＡから折り畳まれ一方の側端辺で糊着され倒立型尖塔状に形成される容器Ａ’の組立にあたって、先ず、図２のように糊着により一体に接合されて周壁を構成する前壁１及び後壁２のそれぞれ上端の折返板８、８’を折線Ｌ３、Ｌ３’を用いて山折りし、折返板８、８’を二分する折線Ｌ１５が谷折りされて、折返板８、８’が周壁の内側に折り込まれると共に折曲重合板４、４’の内面に部分的に略重合され、同じく、折返板９、９’を折線Ｌ４を用いて山折りすることにより、折返板９、９’を二分する折線Ｌ１４が谷折りされて、折返板９、９’が容器内側に折り込まれると共に折曲重合板６、６’の内面に部分的に略重合された前壁１側からの状態を示しており、一部符号部分は図示されない。尚、形状を表わした「倒立型尖塔状」とは、ヨーロッパの建築様式として知られるゴシック様式において、教会の塔に見られる先端の尖った円錐形状や多角錘形状等を、上下倒立状態とした形状を示すために用いたものである。
【００２０】
次いで、図４は同じく本発明のワンタッチ開閉容器の、組立途中の状態を示す斜視図で、倒立型尖塔状をなす容器Ａ’の前壁１と後壁２とで構成される周壁を立体化して大径の開口端部を形成し、前壁１および後壁２の開口端縁近傍で斜行する折線Ｌ６、Ｌ６’、Ｌ７、Ｌ７’、Ｌ８、Ｌ８’、Ｌ９、Ｌ９’をそれぞれ谷折りすると共に、折線Ｌ１０、Ｌ１２を山折りした後、重合した折曲重合板４、４’および同じく重合した折曲重合板６、６’部分を維持しつつ、折曲重合板５と５’、同じく７と７’とを重合させる方向に移動させ、容器Ａ’の開口端を十字形状に封止する前の状態を示したものである。
尚、重合状態とされている折曲重合板４、４’は上端の折線Ｌ３、Ｌ３’で折り返された折返板８、８’とで四層に重合すると共に、折曲重合板４と折返板８との間と、折曲重合板４’と折返板８’との間とに、それぞれ係止部分が挿入可能な断面逆Ｕ字形の折曲重合部が形成され、同様に、重合状態とされている折曲重合板６、６’は上端の折線Ｌ４で折り返された折返板９、９’とで四層に重合すると共に、折曲重合板６と折返板９との間、折曲重合板６’と折返板９’との間に、それぞれ係止部分が挿入可能な断面逆Ｕ字形の折曲重合部が形成されている。
【００２１】
図５は本発明に係るワンタッチ開閉容器の一実施例の組立完成状態を示す説明用斜視図で、係止板１０’と重合する図示されない係止板１０とは対向する位置の折曲重合板６’と折返板９’とで形成される折曲重合部内に挿入され上端辺が折曲部に係止する。同時に、係止板１１と重合する図示されない係止板１１’とは対向する位置の折曲重合板４’と折返板８’とで形成される折曲重合部内に挿入され上端辺が折曲部に係止して、開口端を十字状に封止する。尚、それぞれの係止板の上端辺に膨出形成された係止突起１２は、それぞれの係止板が有する容器上方向へ反発による係止状態をより強固にするために設けられるものであって、図４に示した位置や形状に限定されるものではない。
【００２２】
本発明に係るワンタッチ開閉容器は、実施例において、倒立型尖塔状をなす周壁からなる容器としたが、周壁をそれぞれ４枚の連接された二等辺三角形状の側壁で構成される略逆四角錘形状のものとすることができ、図６に示す他の実施例形状の容器を形成する。尚、この時、先述した実施例における前壁１は図示した折線Ｌ１０５によって側壁１０１と１０２とに分割され、前記側壁１０１、１０２はそれぞれ図示した折線Ｌ１０１、Ｌ１０２によってそれぞれ上側壁１０１’、１０２’を形成することもできる。図示されないが、後壁２は折線Ｌ１０６により、側壁１０３と１０４とに分割形成され、該側壁１０３、１０４は折線折線ｌ１０３、１０４によってそれぞれ上側壁１０３’１０４’を形成することができる。本実施例において、側壁１０１〜１０４を分割する折線Ｌ１０１〜Ｌ１０４は必要に応じて用いることができる。
【００２３】
本発明に係るワンタッチ開閉容器は、板紙等シート状物を打ち抜き形成するものであって、ブランク板の接合や容器の封止のために熱接着等を用いないので、特別な積層構成を要するものではないが、収納される内容物により使用される素材の変更が可能で、例えば、冷蔵食品や冷凍食品等においては、ポリエチレンの含浸やコーティング加工を行った防水加工を施した板紙等を用いることができる。また、サイズの大きい仕様等強度を必要とされるものについては、段ボール素材を用いることもできる。
【符号の説明】
【００２４】
Ａ                      ブランク板
Ａ’、Ａ”              容器
１                      前壁
２                      後壁
３                      貼着片
４、４’、５、５’、６、６’、７、７’    折曲重合板
８、８’、９、９’      折返板
１０、１０’、１１、１１’係止板
１２                      係止突起
１０１〜１０４              側壁
１０１’〜１０４’          上側壁
Ｒ                      仮想端縁線
Ｓ                      仮想肩部線
ｍ１〜ｍ３、ｎ１〜ｎ３    仮想分割線
α                      扇形基点
β〜ε                  端縁頂点
ζ〜ι’                肩部屈曲点
Ｌ１〜Ｌ１５              折線
Ｌ１０１〜Ｌ１０６            折線
【図１】
2011046391.tif 000003
【図２】
2011046391.tif 000004
【図３】
2011046391.tif 000005
【図４】
2011046391.tif 000006
【図５】
2011046391.tif 000007
【図６】
2011046391.tif 000008